(57)【要約】【課題】携帯性を有していて、耐荷重性能の高いイスを提供する。【解決手段】耐荷重性イス１は、矩形枠状の座枠３１と、水平片と２本の垂直片とをそれぞれ有し、前記座枠３１を支持する４つのＵ字状フレーム２１，２２，２３，２４と、を有し、前記４つのＵ字状フレーム２１，２２，２３，２４の各垂直片が４隅に各２本ずつ計８本の脚部２を形成し、前記４つのＵ字状フレーム２１，２２，２３，２４の各水平片の上に前記矩形枠状の座枠３１の各一辺が重ね合わせて配設されている。【選択図】　　　　図１
2004016731.tif 000002
【特許請求の範囲】
【請求項１】
矩形枠状の座枠と、
水平片と２本の垂直片とをそれぞれ有し、前記座枠を支持する４つのＵ字状フレームと、
を有し、
前記４つのＵ字状フレームの各垂直片が４隅に各２本ずつ計８本の脚部を形成し、
前記４つのＵ字状フレームの各水平片の上に前記矩形枠状の座枠の各一辺が重ね合わせて配設されていることを特徴とする耐荷重性イス。
【請求項２】
請求項１において、
対向して配置される２つの前記Ｕ字状フレームの各々は、前記２本の垂直片の各々に支持部材をそれぞれ有し、
対向して配置される他の２つのＵ字状フレームの各々は、前記２本の垂直片の各々が、前記支持部材に横方向の移動を規制して支持され、
前記Ｕ字状フレームの前記水平片の各々は、前記座枠の各一辺との係合によって横方向の移動が規制されていることを特徴とする耐荷重性イス。
【請求項３】
請求項２において、
前記Ｕ字状フレームの前記支持部材は、前記垂直片をその上下方向に抜き差し可能なパイプ形状であり、
前記座枠の各一辺は、その下面にＵ字状の溝を有する固定部材を有し、
前記固定部材の溝に前記Ｕ字状フレームの前記水平片が嵌合することを特徴とする耐荷重性イス。
【発明の詳細な説明】
【０００１】
【発明の属する技術分野】
本発明は、イスに関するものであり、特に会議室やホールで利用される金属パイプ製のイスの耐荷重性能を著しく向上させた耐荷重性イスに関するものである。
【０００２】
【背景技術】
従来、金属パイプ製のフレームからなる椅子として、例えば特許第２９９２４９０号に開示されるような前後に折り畳み可能な椅子や、特許第２７３８９１９号に開示されるような積み重ね可能な椅子が一般的に知られている。これらの椅子は主に会議室やホールなどの公共施設でよく利用されている。
【０００３】
【発明が解決しようとする課題】
ところが、従来のイスは、通常スチールパイプ製であり、比較的重く、特に折り畳み可能な椅子は、折り畳み機能を持たせたことによって、その回転軸部分で耐荷重性を犠牲にせざるを得なかった。また、積み重ね可能な椅子は、４本の脚部からなり、耐荷重性能をあまり重視していない構造であり、さらにもともと携帯性を考慮していないので、かさ張る構造になっていた。
【０００４】
このようないわゆるパイプイスは、会議室やホールなどの公共施設に常時置かれているのであるが、体重の重い、例えば１８０ｋｇもある人が利用した場合、変形、破損することがあった。特に着席時に大きな荷重のかかる身障者向けのイスとして、携帯性を有していて、耐荷重性能の高いイスが望まれていた。
【０００５】
【課題を解決するための手段】
上記課題を解決するため、本発明の一態様の耐荷重性イスは、矩形枠状の座枠と、水平片と２本の垂直片とをそれぞれ有し、前記座枠を支持する４つのＵ字状フレームと、を有し、前記４つのＵ字状フレームの各垂直片が４隅に各２本ずつ計８本の脚部を形成し、前記４つのＵ字状フレームの各水平片の上に前記矩形枠状の座枠の各一辺が重ね合わせて配設されていることを特徴とする。
【０００６】
本発明の一態様によれば、本発明のイスは、各Ｕ字状フレームが座枠の一辺に掛かる荷重ごとに分散して支持するため、ひとつのＵ字状フレームに掛かる荷重を少なくすることができる。また、本発明のイスは、各Ｕ字状のフレームの水平片と座枠の各一辺が重ね合わせて配置され、さらにイスの四隅にＵ字状フレームの垂直片を各２本ずつ脚部として配置されることで、垂直方向の耐荷重性を飛躍的に高めることができる。イスを持ち運びやすくするために軽量化、例えば、フレームの材質をアルミニウム製としても垂直方向の耐荷重性を飛躍的に高めてあるので、１８０ｋｇ以上の荷重にも十分耐えることができる。
【０００７】
ここで、対向して配置される２つの前記Ｕ字状フレームの各々は、前記２本の垂直片の各々に支持部材をそれぞれ有し、対向して配置される他の２つのＵ字状フレームの各々は、前記２本の垂直片の各々が、前記支持部材に対し横方向の移動を規制して支持され、前記Ｕ字状フレームの前記水平片の各々は、前記座枠の各一辺との係合によって横方向の移動が規制されていることが望ましい。
【０００８】
このような構成とすることで、一方のＵ字状フレームの垂直片に設けられた支持部材によって他方のＵ字状フレームの垂直片を横方向の移動を規制して支持し、かつ各Ｕ字状フレームの水平片が座枠に合わせて固定させられているので、前記支持部材が比較的簡単な構造であっても、Ｕ字状フレームの形態が変形することがない。
【０００９】
さらに、前記Ｕ字状フレームの前記支持部材は、前記垂直片をその上下方向に抜き差し可能なパイプ形状であり、前記座枠の各一辺は、その下面にＵ字状の溝を有する固定部材を有し、前記固定部材の溝に前記Ｕ字状フレームの前記水平片が嵌合することが望ましい。
【００１０】
このような構成とすることで、座枠を持ち上げることで座枠とＵ字状フレームが簡単に分解され、さらにＵ字状フレームを各支持部材から抜きとるだけで簡単に分解することができ、コンパクトな状態で携帯、搬送可能となる。また、組み立てもＵ字状フレームをパイプ形状の各支持部材に挿入し、座枠を矩形に組み立てられたＵ字状フレームの上に固定部材の溝を合わせて置くだけで簡単に耐荷重性イスを組み立てることができる。
【００１１】
【発明の実施の形態】
以下、本発明の好適な実施の形態について、図面を参照して詳細に説明する。
【００１２】
図１〜図７は、本発明の一実施の形態に係る耐荷重性イスを示す図である。
【００１３】
このイス１は、図１、図２に示すように、ほぼ矩形状の座３と、その座３を支持する脚部２、及び多少後傾した背もたれ４から構成されている。
【００１４】
脚部２は、４つのＵ字状フレームからなり、Ｕ字状フレームはイス１の前後に配置される前フレーム２１、後フレーム２２と、イス１の左右に配置される左フレーム２３、右フレーム２４とから構成されている。
【００１５】
前フレーム２１は、図３に示すように、断面が円形の連続する一本のアルミニウム製のパイプを屈曲させることによって、水平片２１ｃとその両端から下方へ延びる２本の垂直片２１ａ，２１ｂから形成されている。さらに、前フレーム２１は、その垂直片２１ａ，２１ｂ同士を連結するように両端が垂直片に溶接固定された第１の補強部材２５と、垂直片２１ａ，２１ｂの両外側にそれぞれ溶接固定された第１の支持部材２１ｄ，２１ｅと、各垂直片の先端にキャップ部材２６を有している。
【００１６】
第１の支持部材２１ｄ，２１ｅは、図３の一部断面図に示すように、断面円形の内面と断面略矩形の外面を有するパイプ形状の部材で、前記第１の支持部材２１ｄ，２１ｅの内径は、左右フレーム２３，２４の外径よりわずかに大きく形成され、ガタつくことなく確実に保持することができる。また、第１の支持部材２１ｄ，２１ｅは、垂直片２１ａ，２１ｂのなるべく下方に設けられ、その内面の上端は、多少テーパー部を設けてすり鉢状の入り口とし、左右フレームを挿入しやすくすることが望ましい。
【００１７】
なお、後フレーム２２は、前フレーム２１と実質的に同じなので、図３の括弧内に符号を記して説明を省略する。
【００１８】
左フレーム２３は、図４に示すように、断面が円形の連続する一本のアルミニウム製のパイプを屈曲させることによって、水平片２３ｃとその両端から下方へ延びる２本の垂直片２３ａ，２３ｂから形成されている。さらに、左フレーム２３は、その垂直片２３ａ，２３ｂ同士を連結するように両端が垂直片に溶接固定された第１の補強部材２５と、垂直片２３ａの後側面に溶接固定された第２の支持部材２３ｄと、各垂直片の先端にキャップ部材２６を有している。
【００１９】
第２の支持部材２３ｄは、第１の支持部材２１ｄ，２１ｅと同様に、断面円形の内面と断面略矩形の外面を有するパイプ形状の部材で、第２の支持部材２３ｄの内径は、前後フレーム２１，２２の外径よりわずかに大きく形成されている。
【００２０】
キャップ２６は、プラスチック製で、垂直片２３ａ，２３ｂの先端に埋め込み固定され、第１の支持部材２１ｄ，２１ｅへの挿通の邪魔にならないように、キャップ２６の外径がパイプの外径を超えないようにすることが望ましい。
【００２１】
なお、右フレーム２４は、左フレーム２３と実質的に同じなので、図４の括弧内に符号を記して説明を省略する。
【００２２】
次に、座３は、図５及び図６に示すように、矩形枠状のアルミニウム製のパイプからなる座枠３１と、座枠３１の前後に渡って両端を溶接固定して掛け渡された第２の補強部材３２、３２と、Ｕ字状の溝を有する４つの固定部材３３と、座枠３１の上面に溶接固定されたアルミニウム製の座板３４から構成される。なお、図５においては、座枠３１の構造を説明するため、座板３４を省略している。座枠３１は、２つのＵ字状フレーム同士を心材で補強した状態で溶接固定して製造される。
【００２３】
４つの固定部材３３は、座枠３１の下面に溝を下向きにして溶接固定され、図１〜図４および図６に示すように、４つのＵ字状フレームの水平片２１ｃ、２２ｃ、２３ｃ、２４ｃを上方から抱え込むように嵌め込み固定することができる。固定部材３３の溝は、Ｕ字状フレームの外径に対応した半円部分３５と半円部分を超えて下方に延びる直線部分３６からなり、確実に水平片２１ｃ、２２ｃ、２３ｃ、２４ｃを高さ及び横方向で位置決めし固定することができる。
【００２４】
背もたれ４は、図７に示すように、末広がりに屈曲させたアルミニウム製パイプからなる背枠４１と、背枠４１を左右に渡って両端を溶接固定して掛け渡されたアルミニウム製の背板４２から構成されている。背枠４１の下端は左右フレーム２３、２４の第２の支持部材２３ｄ，２４ｄに対応して直線に形成されている。また、背枠４１は、図２に示すように、多少後方に傾斜している。
【００２５】
以下、イスの組み立て、分解工程について説明する。
【００２６】
まず、前フレーム２１と後フレーム２２の第１の支持部材２１ｄ，２２ｄに左フレーム２３の垂直片２３ｂ，２３ａをそれぞれ差し込み、第１の支持部材２１ｅ，２２ｅに右フレーム２４の垂直片２４ｂ，２４ａをそれぞれ差し込み、脚部２を組み立てる。
【００２７】
この状態では、左右フレーム２３，２４は、前後フレーム２１，２２の第１の支持部材２１ｄ，２１ｅ，２２ｄ，２２ｅに対して回転自在に固定されているに過ぎないので、脚部２は、上方から見るとひし形に変形してしまう。そこで、次に、座３の四辺に設けられた各固定部材３３のＵ字状の溝に、脚部を構成する各Ｕ字状フレームの水平片２１ｃ、２２ｃ、２３ｃ、２４ｃを嵌めこむと、各Ｕ字状フレームは上方への移動とともに横方向の移動も制限されることになり確実に固定される。特に、固定部材３３の溝は、水平片２１ｃ、２２ｃ、２３ｃ、２４ｃの半円を超えて直線部分３６を有するので、Ｕ字状フレームの横方向の移動をより確実に制限することになる。
【００２８】
最後に、背もたれ４の背枠４１の下端を左右フレーム２３，２４に設けられた第２の支持部材２３ｄ、２４ｄに差し込む。第２の支持部材２３ｄ、２４ｄの内径は、背枠４１の外径より僅かに大きく、第２の支持部材２３ｄ、２４ｄの下端内面には、背枠４１と同じ外径を有する短いパイプ部材が溶接固定されているので（図は省略）、一定の高さで背枠４１を固定することができる。こうして組み立てられたイス１は、座３の４隅にあたる位置にＵ字状フレームの垂直片が各２本ずつ配置され、計８本の脚部２で座３を支持することになる。また、座３は、矩形枠状の座枠３１の各辺とその各辺の下に配置されたＵ字状フレームの水平片によって二重構造となる。したがって、イスの利用者が座っても垂直荷重に対し非常に強い構造となっているため、例えば１８０ｋｇの体重にも耐えることができる耐荷重性イスになる。
【００２９】
このように、脚部２と背もたれ４は、単純に差し込み固定されているだけなので、非常に簡単に組み立てることができ、座３も脚部２の上に単純に嵌めこみ載置するだけで脚部２を確実に位置決め固定することができる。特に、座３に人が座ることで座３が上に外れることがなくなり、実用時により確実に固定されることになる。また、分解は、組み立ての逆で差し込み固定されている背もたれ４を抜き、座３を持ち上げ、左右フレーム２３，２４を抜けば６枚の薄い板状部材となり、材質も軽量のアルミニウム製のパイプなので、携帯、持ち運びも容易である。
【００３０】
本発明は前記実施の形態に限定されるものではなく、本発明の要旨の範囲内で種々の形態に変形可能である。
【００３１】
例えば、前記実施の形態では、第１の支持部材がパイプ状の部材であったが、各Ｕ字状フレームの横方向の移動を制限する構造であればよい。具体的には、Ｕ字状フレームの下端に取りつけられたキャップ２６が隣り合うキャップ２６と連結一体化された構造とすることで、第１の支持部材２１ｄ，２１ｅ，２２ｄ，２２ｅに代えることもできる。
【００３２】
また、前記実施の形態では、前フレーム２１と後フレーム２２の両脇に左右フレーム２３，２４を配置しているが、前フレーム２１と後フレーム２２の間に左右フレーム２３，２４を配置してもよい。このように配置することで、分解持ち運び時に第１の支持部材が側方に飛び出さない。
【００３３】
さらに、前記実施の形態では、イスを分解可能としたが、完全に分解することなく折り畳み構造を採用してもよい。その場合には、例えば、座枠３の固定部材３３をＵ字状の溝ではなく、一部管状として座３をＵ字状フレームに対し回転可能とするなどの構造をとることができる。
【図面の簡単な説明】
【図１】本発明の一実施の形態に係る耐荷重性イスを示す正面図である。
【図２】同実施の形態に係る耐荷重性イスを示す側面図である。
【図３】同実施の形態の前フレームの正面図である。
【図４】同実施の形態の左フレームの正面図である。
【図５】同実施の形態の座枠の平面図である。
【図６】同実施の形態の座の正面図及び一部拡大図である。
【図７】同実施の形態の背もたれの正面図である。
【符号の説明】
１　　　イス
２　　　脚部
３　　　座
４　　　背もたれ
２１　　前フレーム
２２　　後フレーム
２３　　左フレーム
２４　　右フレーム
２５　　第１の補強部材
２６　　キャップ
３１　　座枠
３２　　第２の補強部材
３３　　固定部材
４１　　背枠
４２　　背板
【図１】
2004016731.tif 000003
【図２】
2004016731.tif 000004
【図３】
2004016731.tif 000005
【図４】
2004016731.tif 000006
【図５】
2004016731.tif 000007
【図６】
2004016731.tif 000008
【図７】
2004016731.tif 000009